(57)【要約】 【課題】地下水位が高く無排出掘削孔に地下水の侵入してしまう埋立地等の廃棄物処分場において、水に浮いてしまう軽量廃棄物の埋設を効果的に行うことのできる減容処理工法を提供する。【解決手段】無排出孔１を掘削して当該掘削孔に廃棄物を投入してなる廃棄物処分場の減容処理工法において、削孔工の後に、無排出掘削孔１に比重の重い廃棄物２１を所定深さまで投入廃棄し、投入廃棄物上方の孔内水７を排除して水位を低下させて軽量廃棄物２２を投入廃棄し、軽量廃棄物の飛散を防止するネット９で孔口１１を覆うと共に、重量廃棄物２１，２３を再び投入廃棄する埋め戻し工を行う。【選択図】図１
2016107224.tif 000002
【特許請求の範囲】
【請求項１】
無排出孔を掘削して当該無排出掘削孔に廃棄物を投入してなる廃棄物処分場の減容処理工法において、削孔工の後に、無排出掘削孔に比重の重い廃棄物を所定深さまで投入廃棄し、投入廃棄物上方の孔内水を排除して水位を低下させて軽量廃棄物を投入廃棄し、軽量廃棄物の飛散を防止するネットで孔口を覆うと共に、重量廃棄物を再び投入廃棄する埋め戻し工を行うことを特徴とする廃棄物処分場の廃棄物減容処理工法。
【請求項２】
軽量廃棄物の投入廃棄前の孔内水を排除する手段を、投入廃棄物を填圧する適宜容積の重錘を孔内へ落とし込みとしてなる請求項１記載の廃棄物処分場の廃棄物減容処理工法。
【請求項３】
飛散防止ネット上から投入廃棄する重量廃棄物が、礫状の建築廃材である請求項１又は２記載の廃棄物処分場の廃棄物減容処理工法。
【請求項４】
廃棄処分場を移動する所定の掘削機体で、掘削機体の移動を最小限とし、且つ適宜な間隔で無排出掘削孔を順次形成する削孔工と、前記削孔工が実施されている箇所から離れた位置に形成した無排出掘削孔に、所定の埋戻し機体で、請求項１記載の埋め戻し工を同時進行で行ってなることを特徴とする廃棄物処分場の廃棄物減容処理工法。
【発明の詳細な説明】
【技術分野】
【０００１】
本発明は、埋立地の廃棄物処分場のような地下水位が高い処分場において、廃棄物の減容を実現する廃棄物減容処理工法に関するものである。
【背景技術】
【０００２】
一般廃棄物や産業廃棄物等のうち再利用されない廃棄物は、廃棄物処分場に投棄しているもので、投棄は単に従前の廃棄物の上になされ、廃棄物が順次積層されていくものである。放置しておくと自重による自然の圧縮以外に減容がなされない。このため処分場が満杯になると別の処分場を探さなければならない。
【０００３】
そこで廃棄物処分場において、外周にコテ部を備えた掘削土砂圧密形のオーガ（掘削体）を使用して、無排出で掘削穿孔して圧密孔（無排出掘削孔）を形成し、前記圧密孔によって新たに廃棄物廃棄空間を形成し、当該空間に廃棄物を廃棄充填する廃棄物処理工法が知られている。
【０００４】
例えば特許文献１（特開平１０−２７２４３２号公報）には、圧密孔を形成した後に掘削体を孔内に差し入れた状態で逆回転をさせて引き抜きながら、孔口から廃棄物を投入し、孔底へと落下させながらコテ部（圧密板）で孔壁に圧密させ、更に残りを孔底に順次堆積させる手段が開示されている。
【０００５】
特許文献２（特開２００１−２８６８４３号公報）には、圧密コテ（圧密板）を周面に設けたケーシングと、このケーシング内を通し且つ先端から突出する掘削ヘッドを有する掘削ロッドとからなる掘削体を使用し、ケーシングの圧密コテで無排出掘削を行い、ケーシングを残した状態でケーシング内に表層廃棄物を投入し、後にケーシングを引き抜く廃棄物処理工法が開示されている。
【０００６】
特許文献３（特開２００６−１５２６２号公報）には、無排出掘削孔を形成してオーガを引き抜いた後に、前記掘削孔に外周面が平滑なケーシングを立て込み、ケーシング内に廃棄物を投入充填しながら若しくは充填後にケーシングの引き抜きを行う処理工法が開示されている。
【先行技術文献】
【特許文献】
【０００７】
【特許文献１】特開平１０−２７２４３２号公報。
【特許文献２】特開２００１−２８６８４３号公報。
【特許文献３】特開２００６−１５２６２号公報。
【発明の概要】
【発明が解決しようとする課題】
【０００８】
ところで海岸や湖沼の埋立地は、埋立に際して浚渫土砂、建築廃材や焼却灰等の廃棄物を埋め立て資材とした廃棄物処分場として利用されている場合がある。このような廃棄場処分場では地下水位が高く、海水・湖水等の地下水が堆積廃棄物中に浸透しており水と廃棄物が飽和状態となっている。このため廃棄物減容のため無排出掘削孔を形成しても、前記掘削工内に地下水が浸透し、孔内が地下水で満たされるような状態に至る。
【０００９】
また廃棄物処分場においては、プラスチックゴミのような比重の軽いゴミも散在し、廃棄場の表層に存在する水たまり等に浮遊している。このため従前から知られている無排出掘削孔に前記軽量ゴミを含む表層ゴミ等を投入して、廃棄物の減容処理を行う場合、無排出掘削孔内に地下水が侵入している状態となるので軽量ゴミが浮いてしまい、効率的な減容処理が行われない。
【００１０】
そこで本発明は、前記のように地下水位が高く無排出掘削孔に地下水の侵入してしまう埋立地等の廃棄物処分場において、新規な無排出掘削孔への廃棄物の埋設手段を採用した減容処理工法を提案したものである。
【課題を解決するための手段】
【００１１】
本発明の請求項１記載に係る廃棄物処分場の廃棄物減容処理工法は、無排出孔を掘削して当該無排出掘削孔に廃棄物を投入してなる廃棄物処分場の減容処理工法において、削孔工の後に、無排出掘削孔に比重の重い廃棄物を所定深さまで投入廃棄し、投入廃棄物上方の孔内水を排除して水位を低下させて軽量廃棄物を投入廃棄し、軽量廃棄物の飛散を防止するネットで孔口を覆うと共に、重量廃棄物を再び投入廃棄する埋め戻し工を行うことを特徴とするものである。
【００１２】
而して無排出掘削孔（以下単に「掘削孔」という）に対して、比重の重い廃棄物（重量廃棄物）を投入した場合には、掘削孔内に地下水の存否に関わらず自重で掘削孔に沈下充填される。地下水位の近傍位置となる適宜な深さまで重量廃棄物を充填すると、孔内水位が上昇して孔口から溢れ出て、また孔内に残存した地下水も孔口近くまで上昇して排水しやすくなるので、これを排水して軽量廃棄物を投入廃棄すると、軽量廃棄物は多少孔内に地下水が残存していたとしても、相応量の軽量廃棄物を投入廃棄できる。更に飛散防止ネットで孔口を覆い、投入廃棄した軽量廃棄物が掘削孔から地表に戻るのを防止し、当該状態で重量廃棄物の投入廃棄を行うことで、飛散防止ネットで軽量廃棄物が抑えられて重量廃棄物で孔口を塞ぎ、地下水位が高い廃棄物処分場でも、軽量廃棄物を含む減容処理を効率的に行うことができるものである。
【００１３】
また本発明の請求項２記載に係る廃棄物処分場の廃棄物減容処理工法は、特に軽量廃棄物の投入廃棄前の孔内水を排除する手段を、投入廃棄物を填圧する適宜容積の重錘を孔内に落とし込みとしてなるもので、重錘が孔内を満たすことで、孔内水は孔口から排出されると共に、重錘によって投入済みの重量廃棄物を填圧して孔内空間の容積を増加させる作用も奏する。
【００１４】
また本発明の請求項３記載に係る廃棄物処分場の廃棄物減容処理工法は、飛散防止ネット上から投入廃棄する重量廃棄物を、礫状の建築廃材としたもので、重量と相応の容積を備えた重量廃棄物を軽量廃棄物の上方に投入廃棄することで、軽量廃棄物の孔内での浮き上がりを防止し、軽量廃棄物の投棄を確実なものとした。
【発明の効果】
【００１５】
本発明の構成は上記のとおり、地下水位が高く無排出掘削孔に地下水の侵入してしまう埋立地等の廃棄物処分場において、比重の軽い軽量廃棄物も無排出掘削孔内への投入廃棄を効果的に実施できるようにしたものである。
【図面の簡単な説明】
【００１６】
【図１】本発明工法の実施形態の埋め戻し工の詳細な工程説明図。
【図２】同全体の工程説明図。
【図３】同掘削工に使用する掘削ロッドの説明図。
【図４】同要部拡大図。
【図５】同掘削工の作業説明図。
【図６】同全体の工程説明図（平面図）。
【図７】同別例の全体の工程図。
【発明を実施するための形態】
【００１７】
次に本発明工法の実施形態について説明する。実施形態に示したゴミ減容処理工法は、削孔工Ａと埋め戻し工Ｂで構成され、削孔工Ａは廃物処分場において無排出掘削孔１を穿孔し、埋め戻し工は、当該掘削孔（無排出掘削孔）１に廃棄物２を投入廃棄するもので、両工程を順次実施して廃棄物減容を行うものである。
【００１８】
本発明においては、削孔工Ａの具体的手段が限定されるものでは無く、基本的には従前から採用されている手法を用いるもので、その手段の一例を示すと、使用する機器は、掘削機体３と、ケーシング体４と、掘削ロッド５である。
【００１９】
掘削機体３は、一般的に三点支持パイルドライバと称されるもので、ベースマシン３１とリーダーマスト３２とリーダーマスト３２に添って上下動する掘削駆動部３３を備えてなる。
【００２０】
ケーシング体４は汎用性を備えた一般的なもので、外周面に小突条からなる螺旋条４１を設け、頂部に掘削ロッド５を連結するための連結部を形成したものである。
【００２１】
掘削ロッド５は、上方にケーシング体４の連結部に装着できる横棒部５１を側方に突出させ、下端から掘削部５２、圧密部５３、押下部５４を備えたもので、掘削部５２は、下方先端に掘削刃５２１を設けると共に、掘削した粉砕物を上方に送り出す押上羽根５２２を設けたものである。
【００２２】
掘削部５２の上方の圧密部５３は、粉砕物を孔壁に押し付ける複数の圧密コテで構成されるもので、圧密コテは従前の無排出削孔の構築に使用されているものと同様に弧状面を備え、粉砕物をその回転によって孔壁に押し込むもので、高さ及び突出位置をずらして多段に設けたものである。
【００２３】
押下部５４は、その外径がケーシング体４の内径と略一致させた螺旋状の抑え込み羽根で、掘削ロッド５の回転で粉砕物を下方に送り出すようにしたものである。
【００２４】
そして前記の掘削ロッド５の各部は、ケーシング体４に装着した際に、掘削部５２及び圧密部５３がケーシング体１の下方から突出し、押下部５４はケーシング体４内に位置するようにする。
【００２５】
而して削孔工Ａは、廃棄物２が存在する廃棄物処分場で、掘削機体３を安定させるために鉄板６等を敷いた上で、掘削機体３を移動させるようにし、その周囲で複数個所に順次無排出掘削孔１を形成していく。
【００２６】
具体的には、ケーシング体４内に掘削ロッド５を挿入し、横棒部５１でケーシング体４と連結して使用するもので、掘削駆動部３３に装着し、所定箇所の削孔を行う。
【００２７】
この削孔作業（削孔工Ａ）は、ケーシング体４と掘削ロッド５を一体に回転させると、掘削ロッド５の先端の掘削刃５２１で堆積廃棄物２を掘り起こして粉砕物とし、粉砕と同時に押上羽根５２２で粉砕物を上方に押し上げる。押し上げられた粉砕物は圧密部５３の圧密コテで孔壁に押し付けられ圧密壁を形成する。更に圧密部５３を逃れてケーシング体４内に上昇した粉砕物は、押下部５４によってケーシング体４の下方外に押しだされて圧密部５３による孔壁への圧密処理がなされる。
【００２８】
前記の削孔工Ａを終えると、ケーシング体４及び掘削ロッド５を形成した掘削孔１から引き抜き、空虚となった掘削孔１に廃棄物２を投入廃棄する埋め戻し工Ｂを実施する。
【００２９】
本発明は特に地下水位の高い廃棄物処分場における埋め戻し工Ｂに特徴を有するもので当該廃物処分場においては、前記削孔工Ａを終えて形成された掘削孔１に地下水７が浸水し、その水位は孔口１１の近くまで達している場合が多い（図１イ）。
【００３０】
そこで掘削孔１内に、焼却灰のような比重の重い廃棄物（重量廃棄物）２１を、地下水位の高さ程度まで投入廃棄する。この重量廃棄物２１を投入廃棄によって、重量廃棄物２１は掘削孔１内を自重で沈下し、孔内に充填される。この作業において地下水７の一部は孔口１１から溢れ出て、投入廃棄された重量廃棄物２１の上方の孔内空間は地下水７で満たされる（図１ロ）。
【００３１】
次に適宜な容積（掘削孔１の内径に近似する外径及び適宜な高さを備える）の重錘８を孔内に投入するもので、重錘８で孔内を満たすと、孔内の地下水７１は、その一部が孔口１１から排出されると共に、重錘８によって投入済みの重量廃棄物２１を填圧し、孔内空間の容積を増加させる（図１ハ）。
【００３２】
次に重錘８を引き上げる。重錘８の引き上げによって、掘削孔１の上方空間は、底方に地下水７が溜まった状態で（図１ニ）、そこに廃棄物処分場の水溜り等に浮いている軽量廃棄物２２を投入廃棄する（図１ホ）。
【００３３】
軽量廃棄物２２は、掘削孔１内に残留した地下水７に浮いた状態で投入廃棄されるが、相当量を排気投入した後に、飛散防止ネット９で孔口１１を覆う（図１ヘ）。
【００３４】
更に飛散防止ネット９の上から、礫状の建築廃材のような重量と相応の容積を備えた礫状重量廃棄物２３を投入廃棄し（図１ト）、飛散防止ネット９を介して礫状重量廃棄物２３で軽量廃棄物２２を押さえつけ、軽量廃棄物２２が孔内での浮き上がるのを防止する。
【００３５】
更に礫状重量廃棄物２３の上方のわずかな空間に、礫状重量廃棄物２３の間隙を埋める焼却灰のように重量廃棄物２１を投入廃棄して埋め戻し工Ｂを終了する（図１チ）。
【００３６】
前記の削孔工Ａ及び埋め戻し工Ｂは、順次行われるもので、先に述べたように、廃棄物２が存在する廃棄物処分場で、掘削機体３を安定させるために鉄板６等を敷いた上で、掘削機体３を移動させるようにし、その周囲で掘削孔１ａ，１ｂ，１ｃ・・と順次を形成していくものであるが、掘削孔１ａ，１ｂ，１ｃの各間隔は、次に予定する掘削孔１ａと隣接する掘削孔１ｄの分をあけて順次形成し、前記の削孔工Ａと同時進行で埋め戻し工Ｂも順次行うと、埋め戻し工Ｂの実施に対して、削孔工Ａの影響（孔壁の崩壊）を防止できる。
【００３７】
また図７に示すように、ケーシング体４を掘削孔１に残置する削孔工Ａ１を採用して本発明の特徴である埋め戻し工Ｂ１を実施することもできる。
【００３８】
即ち削孔工Ａ１は、ケーシング体４と掘削ロッド５を用いて無排出掘削孔１を形成した後（図７イ、ロ）、掘削ロッド５をケーシング体４から引き抜き、ケーシング体４のみを掘削孔１内に残す（図７ハ）。
【００３９】
ケーシング体４を残したまま埋め戻し工Ｂ１を開始するもので、埋戻し工Ｂ１は、最初に重量廃棄物（焼却灰）２１を、地下水位の高さ程度まで投入廃棄する。そして重錘８による地下水７１の排出とされると共に、重錘８によって投入済みの重量廃棄物２１を填圧するか、若しくは適宜な他の手段で排水する（図７ニ）。
【００４０】
しかる後、ケーシング体４の吊下げ部材１０を用いてケーシング体４を引き抜き、軽量廃棄物２２を投入廃棄して、孔口１１を飛散防止ネット９で覆う（図７ヘ）。
【００４１】
更に飛散防止ネット９の上から、礫状重量廃棄物２３を投入廃棄し、飛散防止ネット９を介して礫状重量廃棄物２３で軽量廃棄物２２を押さえつけ、軽量廃棄物２２を孔内での浮き上がりを防止し、更に礫状重量廃棄物２３の上方のわずかな空間に、礫状重量廃棄物２３の間隙を埋める重量廃棄物２１を投入廃棄して埋め戻し工Ｂ１を終了する。
【００４２】
前記のケーシング体４を残置する手段を採用する場合には、隣接する掘削孔１ａ，１ｄと連続して削孔工Ａ１を行って埋め戻し工Ｂ１に支障がなく、掘削機体３の移動を少なくして連続的な削孔工Ａ１を実施することができる利点がある。
【符号の説明】
【００４３】
１    掘削孔（無排出掘削孔）
１１  孔口
２    廃棄物
２１    重量廃棄物
２２    軽量廃棄物
２３    礫状重量廃棄物
３    掘削機体
３１    ベースマシン
３２    リーダーマスト
３３    掘削駆動部
４    ケーシング体
４１    螺旋条
５    掘削ロッド
５１    横棒部
５２    掘削部
５２１    掘削刃
５２２    押上羽根
５３    圧密部
５４    押下部
６    鉄板
７    地下水
８    重錘
９    飛散防止ネット
１０  吊下げ部材
Ａ    削孔工
Ｂ    埋戻し工
【図１】
2016107224.tif 000003
【図２】
2016107224.tif 000004
【図３】
2016107224.tif 000005
【図４】
2016107224.tif 000006
【図５】
2016107224.tif 000007
【図６】
2016107224.tif 000008
【図７】
2016107224.tif 000009